(57)【要約】【課題】  本発明の課題は、記録と表示で異なるフレームレートを実現する映像信号記録および表示装置を小規模および低コストで提供することにある。【解決手段】  Ｎ（Ｎは自然数）個の映像を入力するＮ個の映像入力手段と、前記Ｎ個の映像信号を記憶可能な記憶手段と、前記Ｎ個の入力手段からのＮ個の映像信号を前記記憶手段に書き込むＮ個の書き込み手段と、前記記憶手段に書き込まれた映像信号を選択的に読み出す第１の読み出し手段と、前記第１の読み出し手段からの映像を入力としモニタに表示可能な映像信号に変換して出力する表示変換手段と、前記記憶手段に書き込まれた映像信号を選択的に読み出す第２の読み出し手段と、前記第２の読み出し手段からの信号を記録媒体に記録する記録手段とを具備し、記録系と表示系とで入力手段および書き込み手段を共用する。【選択図】  図１
2006246281.tif 000002
【特許請求の範囲】
【請求項１】
Ｎ（Ｎは自然数）個の映像を入力するＮ個の映像入力手段と、
前記Ｎ個の映像信号を記憶可能な記憶手段と、
前記Ｎ個の入力手段からのＮ個の映像信号を前記記憶手段に書き込むＮ個の書き込み手段と、
前記記憶手段に書き込まれた映像信号を選択的に読み出す第１の読み出し手段と、
前記第１の読み出し手段からの映像を入力としモニタに表示可能な映像信号に変換して出力する表示変換手段と、
前記記憶手段に書き込まれた映像信号を選択的に読み出す第２の読み出し手段と、
前記第２の読み出し手段からの信号を記録媒体に記録する記録手段と
を具備することを特徴とする映像信号処理装置。
【請求項２】
請求項１において、
前記第１の読出し手段による映像信号の読み出しと、前記第２の読出し手段による映像信号の読み出しとは、フレームレートが異なることを特徴とする映像信号処理装置。
【発明の詳細な説明】
【技術分野】
【０００１】
本発明は、映像信号の処理装置、例えば映像信号を表示および記録する映像信号記録および表示装置に関する。
【背景技術】
【０００２】
本技術分野の背景技術として、例えば、特開２０００−２３２６４０号公報（特許文献１）がある。該公報には課題として「複数のカメラ等からの映像を順次切り換えるとき、その切り換え映像を記録装置用、モニター画面用専用に備え、かつ、各々の出力の順次切り換えの設定を独立して行える映像切り換え装置を提供する。」と記載され、解決手段として「切り換え手段２Ａ、２Ｂで得た切り換え信号ｄ、ｅを、記録用映像信号ｊ、モニター用映像信号ｋとして出力できるため、記録用映像信号は設定手段４Ａで短い切り換え時間での設定が可能となり、映像記録装置の要求条件である短い録画間隔の要求を満足し、かつ、モニター用映像信号ｋにはモニター画面等での目視確認を行う人の目視追従確認に適した切り換え間隔に設定手段４Ｂで設定できることで、記録用映像信号ｊとモニター用映像信号ｋを理想的な映像切り換え設定することができる。」と記載されている。
【０００３】
【特許文献１】特開２０００−２３２６４０号公報
【発明の開示】
【発明が解決しようとする課題】
【０００４】
監視装置のように複数の映像信号の記録と表示を同時に行う装置において、個々の映像に対して、あるいは記録と表示とで異なるフレームレート（１秒間あたりのコマ数）や画面サイズが要求される。近年においては入力する映像信号数が増加しており、さらに高いフレームレートでの記録および表示が要求されている。
【０００５】
特許文献１には、複数の映像信号を入力とし、記録と表示を同時に行う装置が開示されている。特許文献１に記載の装置は、記録と表示それぞれに独立した映像切替え手段を具備している。この映像切替え手段は、複数の映像を切替えて出力するスイッチ手段を含むが、複数の映像信号が互いに非同期である場合には、それぞれの映像信号入力をメモリなどに一旦書き込み、それを単一の同期信号に同期して読み出す、いわゆるフレームシンクロナイザ機能が必要になる。記録と表示とで独立に映像切替え手段を具備する装置では、フレームシンクロナイザ手段も２系統必要となり、装置の規模およびコストが増大する。
【０００６】
そこで、本発明は、記録と表示で異なるフレームレートを実現する映像信号処理装置において、規模およびコストを低減することを目的とする。
【課題を解決するための手段】
【０００７】
上記目的は、特許請求の範囲に記載の発明により達成される。
【発明の効果】
【０００８】
本発明によれば、装置の規模およびコストを低減できる。
【発明を実施するための最良の形態】
【０００９】
本発明の第１の実施形態を、図１を用いて説明する。
【００１０】
図１において、１０１、１０２、１０３は映像入力部、１０４、１０５、１０６は書き込み手段、１０７はメモリ制御手段、１０８はメモリ、１０９は第１の読み出し手段、１１０は表示処理手段、１１１は出力端子、１１２はモニタ部、１１３は第２の読み出し手段、１１４は記録処理手段、１１５は記録媒体、１１６は映像切替え手段である。
【００１１】
入力される映像信号が周波数変調されたアナログ信号である場合には、入力映像信号は映像入力部１０１、１０２、１０３においてデジタル信号に変換され復調される。書き込み手段１０４、１０５、１０６は、映像入力部１０４、１０５、１０６からの映像信号をメモリ制御手段１０８を介してメモリ１０８に書き込む。第１の読み出し手段１０９はモニタ１１２に表示させたい映像をメモリ制御手段１０８を介してメモリ１０８から選択的に読み出す。表示処理手段１１０は、第１の読み出し手段１０９により読み出された映像信号を入力とし、多分割表示画面を構成するなどの処理を行い、同期信号を付加した表示可能な映像信号に変換して出力端子１１１に出力する。モニタ部１１２は、出力端子１１１からの映像信号を表示する。
一方、第２の読み出し手段１１３は、記録媒体１１５に記録したい映像をメモリ制御手段１０８を介してメモリ１０８から選択的に読み出す。記録処理手段１１４は、第２の読み出し手段１１３により読み出された映像信号を記録可能な信号に変換し、記録媒体１１５に記録する。
使用者は、図示していないシステム制御部により、モニタ１１２に表示する映像と記録媒体１１５に記録する映像について、それぞれのフレームレートを設定する。第１の読み出し手段１０９および第２の読み出し手段１１３は、使用者が設定したフレームレートに従って、表示および記録に必要な映像をメモリ１０８から読み出すことで、使用者が設定した表示および記録のフレームレートが実現される。
【００１２】
以上により、第１の実施形態によれば、使用者は入力される映像信号をモニタ１１２に表示し、かつ記録媒体１１５に記録することができ、記録と表示それぞれに異なるフレームレートを設定できるので使い勝手が向上する。また、メモリ１０８に書き込まれる映像信号を表示系と記録系の双方に利用できるので、映像入力部１０１、１０２、１０３および書き込み手段１０４、１０５、１０６を入力される映像信号ごとに１系統ずつ具備しておけばよく、表示系と記録系とにそれぞれ独立した映像切替え手段を具備した装置と比較して、装置の規模およびコストを低減することができる。
【００１３】
次に、本発明の第２の実施形態を、図２を用いて説明する。
図２において、１１７は第１の映像縮小手段、１１８は第２の映像縮小手段である。その他の構成要素は図１と同じであり、同一の符号を付している。
使用者は、図示していないシステム制御部により、モニタ１１２に表示する映像と記録媒体１１５に記録する映像について、それぞれの画面サイズを設定する。第１の映像縮小手段１１７は第１の読み出し手段１０９が読み出した映像信号を入力とし、使用者が設定した表示画面サイズに従って映像信号を縮小して表示処理手段１１０に出力する。また、第１の映像縮小手段１１８は第２の読み出し手段１１３が読み出した映像信号を入力とし、使用者が設定した記録画面サイズに従って映像信号を縮小して記録処理手段１１０に出力する。
【００１４】
以上により、第２の実施形態によれば、使用者は入力される映像信号をモニタ１１２に表示し、かつ記録媒体１１５に記録することができ、記録と表示それぞれに異なるフレームレートを設定でき、さらに記録と表示それぞれに異なる画面サイズを設定できるので使い勝手が向上する。また、メモリ１０８に書き込まれる映像信号を表示系と記録系の双方に利用できるので、映像入力部１０１、１０２、１０３および書き込み手段１０４、１０５、１０６を入力される映像信号ごとに１系統ずつ具備しておけばよく、表示系と記録系とにそれぞれ独立した映像切替え手段を具備した装置と比較して、装置の規模およびコストを低減することができる。
【図面の簡単な説明】
【００１５】
【図１】本発明の第１の実施形態における装置のブロック構成図
【図２】本発明の第２の実施形態における装置のブロック構成図
【符号の説明】
【００１６】
１０１、１０２、１０３  映像入力部
１０４、１０５、１０６  書き込み手段
１０７  メモリ制御手段
１０８  メモリ
１０９  第１の読み出し手段
１１０  表示処理手段
１１１  出力端子
１１２  モニタ部
１１３  第２の読み出し手段
１１４  記録処理手段
１１５  記録媒体
１１６  映像切替え手段
１１７  第１の映像縮小手段
１１８  第２の映像縮小手段
【図１】
2006246281.tif 000003
【図２】
2006246281.tif 000004